(57)【要約】【課題】生地等の被取付材の任意の位置に、自由なデザインで面ファスナの雌部材を形成し、製品と一体感があり着脱操作も安定な面ファスナとその製造方法を提供する。【解決手段】製品を形成する生地１２と、生地１２の所定位置で生地１２の裏面に重ねられた支持布１４を備える。生地１２と支持布１４に糸１６が刺繍されて、生地１２の表面に複数のループ部１８を形成し、生地１２の裏面には支持布１４と支持布１４から露出した糸１６を覆う接着剤１９を設ける。ループ部１８は任意の形状の絵柄２０に形成される。【選択図】図１
2007209686.tif 000002
【特許請求の範囲】
【請求項１】
製品を形成する被取付材と、前記被取付材の所定位置で前記被取付材の裏面に重ねられた支持布と、前記被取付材と前記支持布に亘って糸が刺繍され前記被取付材の表面に形成された複数のループ部と、前記被取付材の裏面に塗布され前記支持布と前記支持布から露出した前記糸の端部を覆い固定する接着剤が設けられていることを特徴とする面ファスナ。
【請求項２】
前記ループ部は前記被取付材に形成され、前記ループ部により前記被取付材に任意の形状の絵柄が設けられていることを特徴とする請求項１記載の面ファスナ。
【請求項３】
前記ループ部は色が異なる複数の前記糸で形成され、前記糸の色の違いにより前記複数のループ部に任意の形状の絵柄が設けられていることを特徴とする請求項１記載の面ファスナ。
【請求項４】
製品を形成する被取付材の所定位置で前記被取付材の裏面に支持布を重ね、前記被取付材と前記支持布を重ねた状態で糸を刺繍して前記被取付材の表面にループ部を形成し、前記被取付材の裏面の前記支持布と前記糸の端部を覆って接着剤を塗布し、前記糸を前記被取付材に固定することを特徴とする面ファスナの製造方法。
【発明の詳細な説明】
【技術分野】
【０００１】
この発明は、一対の生地等の部材を着脱自在に連結する面ファスナとその製造方法に関する。
【背景技術】
【０００２】
従来、面ファスナは、テープ状の基布表面に複数のフックを密に取り付けた雄部材と、基布表面にループを密に取り付けた雌部材が設けられている。そして開閉する一対の生地の重なる部分に、雄部材と雌部材が互いに対向するように、各基布を縫製や接着等で生地に取り付けて設けている。
【０００３】
一般に面ファスナは、特許文献1に開示されている繊維製面ファスナに開示されているように、製編織工程及び仕上げ工程で作られている。また、面ファスナの雌部材を刺繍により作る方法もあり、これは特許文献２の刺繍製品の製造方法及び刺繍製品に開示されている。これは、飾り部を有する基布に、光透過性糸を刺繍してループを作り、雌部材を作るものである。
【特許文献１】特開２００５−１６０９６７号公報
【特許文献２】特開平１０−１９５７５４号公報
【発明の開示】
【発明が解決しようとする課題】
【０００４】
上記従来の技術の場合、商品の生地に面ファスナの基布を縫製や接着で取り付けるが、基布の厚みがあり、硬さが増す。このため、衣服に硬さが生じて着用感がよくなかったり、違和感が生じたりすることがある。また、長期に使用しているうちに、基布の角部が折り曲げられて生地から浮き、外観が悪く、また身体に当たって不快に感じたり痛みを感じたりすることもあった。また、面ファスナはテープ状の基布で作られたものを製品として購入し、生地に取り付けるため、作業工程が多く、また自由な色や形状にすることができなかった。
【０００５】
さらに、特許文献１に開示されたように、刺繍により雌部材を形成しても、ループ部が押す部材との開閉によりほつれて均一なループが乱れ、係着力が低下し、長期間の使用には耐えられないものであった。
【０００６】
この発明は、上記従来の技術の問題点に鑑みてなされたものであり、生地等の被取付材の任意の位置に、自由なデザインで面ファスナの雌部材を形成し、製品と一体感があり着脱操作も安定な面ファスナとその製造方法を提供することを目的とする。
【課題を解決するための手段】
【０００７】
本発明は、製品を形成する被取付材と、前記被取付材の所定位置で前記被取付材の裏面に重ねられた支持布と、前記被取付材と前記支持布に亘って糸が刺繍され前記被取付材の表面に形成された複数のループ部と、前記被取付材の裏面に塗布され前記支持布と前記支持布から露出した前記糸の端部を覆い固定する接着剤が設けられている面ファスナである。
【０００８】
前記ループ部は前記被取付材に形成され、前記ループ部により前記被取付材に任意の形状の絵柄が設けられているものである。また、前記ループ部は色が異なる複数の前記糸で形成され、前記糸の色の違いにより前記複数のループ部に任意の形状の絵柄が設けられているものでも良い。
【０００９】
またこの発明は、製品を形成する被取付材の所定位置で前記被取付材の裏面に支持布を重ね、前記被取付材と前記支持布を重ねた状態で糸を刺繍して前記被取付材の表面にループ部を形成し、前記被取付材の裏面の前記支持布と前記糸の端部を覆って接着剤を塗布し、前記糸を前記被取付材に固定することを特徴とする面ファスナの製造方法である。
【発明の効果】
【００１０】
本発明の面ファスナとその製造方法は、製品を形成する生地等の被取付材に、直接に自由なデザインで面ファスナを設けることができ、生地等の被取付材と一体感があり、雄部材のとの着脱操作が安定するものである。また、長期間使用しても、ループ部が型くずれしたりほつれることがなく、耐久性が高く外観上も違和感がない。従って、装飾としても使用することができる。
【発明を実施するための最良の形態】
【００１１】
以下、この発明の実施形態について図面に基づいて説明する。図１〜図３はこの発明の一実施形態を示すもので、この実施形態の面ファスナ１０は、被服等の製品を形成する被取付材である生地１２の所定の取付位置で、その裏面１２ａに支持布１４が重ねられている。支持布１４は、例えばある程度の強度を有する繊維で所定の隙間を有して織られたオーガンジ布で作られている。生地１２と支持布１４は、互いに重ねた状態で、ループ形成用の糸１６が刺繍され、生地１２の表面１２ｂには刺繍された糸１６によりループ部１８が形成されている。一方、支持布１４の、生地１２と反対に位置する裏面１４ａには、糸１６のループ下端が露出している。そして、支持布１４の裏面１４ａには、露出する糸１６を覆って合成樹脂製の接着剤１９が塗布され、糸１６の端部を接着して保持している。
【００１２】
ループ部１８は生地１２の面ファスナ形成区画の中に密に形成されている。ループ部１８は、２色の糸１６で形成され、複数のループ部材１８で形成された区画内に糸１６の色の違いにより、文字等の絵柄２０が描かれている。ループ部１８を設ける区画の外形も、矩形以外の任意の模様や文字等自由に絵柄としてデザインされる。また区画内の絵柄２０も、マークや文字等自由にデザインされる。ここで用いる糸１６は、通常の面ファスナの雌部材を形成する糸と同種のフィラメント糸である。
【００１３】
次に、この実施形態の面ファスナ１０の使用例について説明する。この面ファスナ１０は、図２に示すように上着２２に設けられているもので、左胸に面ファスナ１０が形成されている。また、上着２２の前身頃の下方左右には、ポケットのフラップ２４が設けられている。フラップ２４が覆う前身頃の部分には、面ファスナ２６が、生地１２に直接設けられている。面ファスナ２６は、生地１２の星形の絵柄の中にループ部材１８が密に形成されている。そして生地１２の裏面１２ａには支持布１４が重ねられ、支持布１４の裏面１４ａには、露出する糸１６を覆って合成樹脂製の接着剤１９が塗布され、糸１６を接着して保持している。フラップ２４の裏面には、面ファスナ２６に係合する雄部材が設けられた面ファスナ２８が設けられている。なお、面ファスナ２６と面ファスナ２８は、取り付け位置が逆でも良く、雄雌逆でも良い。
【００１４】
次に、この実施形態の面ファスナ１０の製造方法について説明する。まず、製品を形成する生地１２の裏面１２ａに、支持布１４を重ねる。支持布１４は、生地１２の裏面１２ａにあらかじめ接着や仮縫いしてもよい。生地１２と支持布１４を互いに重ねた状態で、糸１６を刺繍して、生地１２の表面１２ｂにループ部１８を形成する。支持布１４の、生地１２と反対に位置する裏面１４ａには、糸１６の端部が露出する。次に、支持布１４の裏面１４ａに、露出する糸１６を覆って、合成樹脂製の接着剤１９を塗布し、糸１６を接着して保持し、ほつれを防止する。尚、生地１２に面ファスナ１０を取り付ける工程は、上着２２を縫製する前でも後でもよい。
【００１５】
この実施形態の面ファスナ１０の使用方法は、胸に形成した面ファスナ１０に、雄部材の面ファスナを取り付けた名札等を、着脱自在に取り付けてもよい。また、何も取り付けない場合は、ワッペンのように装飾や目印となる。上着２２の前身頃の左右に設けられたポケットのフラップ２４は、面ファスナ２６により閉じると、ポケットの開口部を覆うことができる。また、フラップ２４をポケットの開口部内側にしまうと、ポケットの開口部の近傍に形成された星形等の面ファスナ２６が露出し、装飾となる。
【００１６】
この実施形態の面ファスナ１０とその製造方法によれば、製品を形成する生地１２に面ファスナ１０を直接設けることができ、生地１２と一体感があり、雄部材の面ファスナが取り付けられた部材の着脱操作が安定するものである。さらに、生地１２の厚みを最小限とし、生地に硬さが生じることがなく、違和感がないものであり、長期間使用しても、外観が変わらず使用感が良好である。また、面ファスナ１０は生地１２の任意の位置に自由なデザインで設けることができ、装飾としても効果的であり、個性的な商品とすることができことができる。また、装飾と、開閉部材を兼用することができる。
【００１７】
なお、この発明の面ファスナとその製造方法は、上記実施の形態に限定されるものではなく、支持布や糸、接着剤の素材は適宜選択可能である。面ファスナのループ部を設ける区画の形状や色等は、自由にデザインすることができる。面ファスナを取り付ける製品は、上着等の衣服以外に何でも良く、例えば自動車関連製品等種々の製品への利用が可能である。面ファスナを設ける生地等の被取付材は、織物や編物、フィルム等、いろいろなものが使用可能である。糸の色は２色に限定されず、多色を使用してカラフルなものにしてもよい。
【図面の簡単な説明】
【００１８】
【図１】この発明の一実施形態の面ファスナの斜視図である。
【図２】この実施形態の面ファスナを取り付けた製品の正面図である。
【図３】この実施形態の面ファスナの拡大断面図である。
【符号の説明】
【００１９】
１０，２６  面ファスナ
１２  生地
１４  支持布
１６  糸
１８  ループ部
１９  接着剤
２０  絵柄
２２  上着
２４  フラップ
【図１】
2007209686.tif 000003
【図２】
2007209686.tif 000004
【図３】
2007209686.tif 000005